(57)【要約】      （修正有）【課題】ビームの照射状態の検出を短時間で行う。【解決手段】ターゲットにビームを照射する複数の光学系カラム２０を有する光学系を備えた露光装置で用いられるキャリブレーション方法は、ステージ８５ｂから保持部材が取外された状態で、基準マークが形成された基準部材１３０を光学系に対向して位置づけることと、基準マークにビーム（例えば電子ビーム）を照射し、基準マークから発生する反射成分（例えば反射電子）を検出し、その検出結果に基づいてビームの照射状態を求めることと、を含む。基準部材は、ターゲットを保持する保持部材の代わりに、ステージ８５ｂに取付けられるものであっても良い。【選択図】図１７
2017130507.tif 000002
【特許請求の範囲】
【請求項１】
ステージに保持部材を介して保持されたターゲットにビームを照射する光学系を有する露光装置で用いられる基準部材であって、
前記ステージから前記保持部材が取り外された状態で、前記光学系に対向して配置される基準マークが形成された基準部材。
【請求項２】
前記基準マークが形成されたマーク形成領域を有し、
前記マーク形成領域は、前記ターゲットより大きい請求項１に記載の基準部材。
【請求項３】
前記基準マークは、前記マーク形成領域に複数形成される請求項２に記載の基準部材。
【請求項４】
前記光学系は、複数の光学系カラムを有し、
複数の前記基準マークは、複数の前記光学系カラムの位置関係と対応する位置関係で前記マーク形成領域に形成される請求項３に記載の基準部材。
【請求項５】
前記マーク形成領域が形成された基準板を有する請求項２〜４のいずれか一項に記載の基準部材。
【請求項６】
前記保持部材の代わりに前記ステージに取り付けられる請求項１〜５のいずれか一項に記載の基準部材。
【請求項７】
前記保持部材と共に前記ステージに設けられ、前記ステージから前記保持部材が取り外された後、前記光学系に対向して配置される請求項１〜５のいずれか一項に記載の基準部材。
【請求項８】
前記露光装置は、荷電粒子ビーム露光装置である請求項１〜７のいずれか一項に記載の基準部材。
【請求項９】
ステージに保持部材を介して保持されたターゲットにビームを照射する光学系を有する露光装置で用いられるキャリブレーション方法であって、
前記ステージから前記保持部材が取り外された状態で、請求項１〜８のいずれか一項に記載の基準部材を前記光学系に対向して位置づけることと、
前記基準マークに前記ビームを照射し、前記基準マークから発生する反射成分を検出し、その検出結果に基づいて前記ビームの照射状態を求めることと、
を含むキャリブレーション方法。
【請求項１０】
前記露光装置は、荷電粒子ビームを用いた荷電粒子ビーム露光装置であり、
前記ステージに装着された前記保持部材に保持されたターゲットに前記荷電粒子ビームを照射して露光を行う際に、前記ステージを移動しつつ、前記照射状態に基づいて、前記光学系から前記ターゲットに照射される前記荷電粒子ビームの偏向状態及び照射タイミングの少なくとも一方を制御して前記荷電粒子ビームの前記ターゲット上での照射状態を補正することを、さらに含む請求項９に記載のキャリブレーション方法。
【請求項１１】
ステージに保持部材を介して保持されたターゲットにビームを照射する光学系を有する露光装置で用いられるキャリブレーション方法であって、
前記光学系は、複数の光学系カラムを有し、
前記ステージから前記保持部材が取り外された状態で、複数の前記光学系カラムのうち少なくとも一部の光学系カラムの位置関係と対応する位置関係で形成された複数の基準マークを有する基準部材を、前記光学系に対向して位置させることと、
前記少なくとも一部の光学系カラムから対向する前記基準部材の複数の前記基準マークにビームをそれぞれ照射し、複数の前記基準マークのそれぞれから発生する反射成分を個別に検出し、その検出結果に基づいて前記少なくとも一部の複数の光学系カラムからそれぞれ照射される前記ビームの前記一面上での照射位置の位置関係の情報を求めることと、
を含むキャリブレーション方法。
【請求項１２】
前記基準部材は、複数の前記マークが形成された領域を含む少なくとも一部の部分が、熱膨張率が前記ターゲットより小さな材料からなる請求項１１に記載のキャリブレーション方法。
【請求項１３】
前記基準部材として、複数の前記基準マークが形成され、前記保持部材の代わりに前記ステージに取付けられる部材が用いられる請求項１１又は１２に記載のキャリブレーション方法。
【請求項１４】
前記基準部材として、複数の前記基準マークが形成されたマーク形成領域を有する部材が用いられ、前記マーク形成領域は、前記ターゲットより大きい請求項１３に記載のキャリブレーション方法。
【請求項１５】
前記基準部材として、前記ステージに設けられ、前記ステージに取付けられた際に前記保持部材の下方の第１位置に位置し、前記ステージか前記保持部材が取り外されたときに前記第１位置と前記第１位置の上方の第２位置との間で上下動可能で、上面に複数の前記基準マークが形成された部材が用いられる請求項１１又は１２に記載のキャリブレーション方法。
【請求項１６】
前記ステージを複数の前記光学系カラムそれぞれの光軸に垂直な所定平面内でステップ移動しつつ、複数の前記光学系カラムのそれぞれから前記基準部材に照射されるビームの反射成分の検出を、複数回に分けて行う請求項１５に記載のキャリブレーション方法。
【請求項１７】
前記露光装置の前記光学系カラムのそれぞれは、個別にオンオフ可能で、かつ偏向可能な複数の荷電粒子ビームを照射可能なマルチビーム光学系を有し、
前記求めることでは、前記マルチビーム光学系のそれぞれから照射されるビームの前記一面上での照射位置の位置関係の情報を求める請求項１１〜１６のいずれか一項に記載のキャリブレーション方法。
【請求項１８】
前記マルチビーム光学系はそれぞれ、所定方向に延びる帯状の領域内に配置された複数の開口を有するビーム成形アパーチャプレートを有し、
前記求めることでは、前記ビーム成形アパーチャプレートの複数の前記開口の形成領域を複数に分割し、その複数の分割領域の少なくとも２つの分割領域に属する開口を介して、前記荷電粒子ビームを分割領域毎に前記基準部材の対応する前記基準マークに照射し、前記基準マークから発生する反射荷電粒子を検出し、その検出結果に基づいて複数の前記開口の像の形成領域の一次傾斜成分及び二次以上の高次成分の少なくとも一方を、複数の前記ビームの前記位置関係の情報として求める請求項１７に記載のキャリブレーション方法。
【請求項１９】
前記反射荷電粒子の検出結果から得られる前記基準マークの検出信号のコントラストを、前記光学系カラムのそれぞれのレンズにより調整することをさらに含む請求項１８に記載のキャリブレーション方法。
【請求項２０】
前記検出信号の２階微分に基づいて、前記光学系カラムのフォーカスを調整することをさらに含む請求項１９に記載のキャリブレーション方法。
【請求項２１】
前記一次傾斜成分を前記位置関係の情報として定期的に求める請求項１８〜２０のいずれか一項に記載のキャリブレーション方法。
【請求項２２】
前記ステージに装着された前記保持部材に保持されたターゲットに前記荷電粒子ビームを照射して露光を行う際に、前記ステージを移動しつつ、前記位置関係に基づいて、前記光学系カラムのそれぞれから前記ターゲットに照射される１又は複数の荷電粒子ビームの偏向状態及び照射タイミングの少なくとも一方を制御して前記荷電粒子ビームの前記ターゲット上での照射位置を補正することを、さらに含む請求項１７〜２１のいずれかに記載のキャリブレーション方法。
【発明の詳細な説明】
【技術分野】
【０００１】
本発明は、基準部材及びキャリブレーション方法に係り、特にステージに保持部材を介して保持されたターゲットにビームを照射する光学系を有する露光装置で用いられる基準部材及びキャリブレーション方法に関する。
【背景技術】
【０００２】
近年では、紫外光露光装置の解像限界よりも微細なピッチの回路パターンを形成するために、紫外光露光装置の解像限界よりも小さい多数の円形スポットを電子ビームで形成し、この電子ビームの円形スポットとウエハとを相対的に走査する荷電粒子ビーム露光装置が提案されている（例えば、特許文献１参照）。しかし、荷電粒子ビーム露光技術では、実用的な処理速度が得られない。
【０００３】
そこで、ＡｒＦ光源を用いた液浸露光技術と、荷電粒子ビーム露光技術（例えば電子ビーム露光技術）とを相補的に利用するコンプリメンタリ・リソグラフィが、提案されている。コンプリメンタリ・リソグラフィでは、ＡｒＦ光源を用いた液浸露光においてダブルパターニングなどを利用することで、単純なラインアンドスペースパターンを形成する。次いで、電子ビームを用いた露光を通じて、ラインパターンの切断、あるいはビアの形成を行う。
【０００４】
このようなコンプリメンタリ・リソグラフィのスループットを向上させることが可能な露光装置として、一つの光学系を有する荷電粒子ビーム露光装置、あるいは複数のカラムセル（光学系カラム）を有するマルチカラムタイプの荷電粒子ビーム露光装置がある。マルチカラムタイプの露光装置は、露光ビームを用いる紫外光露光装置にも存在する。このようなコンプリメンタリ・リソグラフィでは、いずれの露光装置でも、ターゲットに形成されたラインパターンに対する露光ビームあるいは電子ビームの照射位置の管理が重要である。
【先行技術文献】
【特許文献】
【０００５】
【特許文献１】米国特許第７，１７３，２６３号明細書
【発明の概要】
【０００６】
第１の態様によれば、ステージに保持部材を介して保持されたターゲットにビームを照射する光学系を有する露光装置で用いられる基準部材であって、前記ステージから前記保持部材が取り外された状態で、前記光学系に対向して配置される基準マークが形成された基準部材が、提供される。
【０００７】
第２の態様によれば、ステージに保持部材を介して保持されたターゲットにビームを照射する光学系を有する露光装置で用いられるキャリブレーション方法であって、前記ステージから前記保持部材が取り外された状態で、第１の態様に係る基準部材を前記光学系に対向して位置づけることと、前記基準マークに前記ビームを照射し、前記基準マークから発生する反射成分を検出し、その検出結果に基づいて前記ビームの照射状態を求めることと、を含むキャリブレーション方法が、提供される。
【０００８】
第３の態様によれば、ステージに保持部材を介して保持されたターゲットにビームを照射する光学系を有する露光装置で用いられるキャリブレーション方法であって、前記光学系は、複数の光学系カラムを有し、前記ステージから前記保持部材が取り外された状態で、複数の前記光学系カラムのうち少なくとも一部の光学系カラムの位置関係と対応する位置関係で形成された複数の基準マークを有する基準部材を、前記光学系に対向して位置させることと、前記少なくとも一部の光学系カラムから対向する前記基準部材の複数の前記基準マークにビームをそれぞれ照射し、複数の前記基準マークのそれぞれから発生する反射成分を個別に検出し、その検出結果に基づいて前記少なくとも一部の複数の光学系カラムからそれぞれ照射される前記ビームの前記一面上での照射位置の位置関係の情報を求めることと、を含むキャリブレーション方法が、提供される。
【図面の簡単な説明】
【０００９】
【図１】一実施形態に係る電子ビーム露光装置の構成を概略的に示す図である。
【図２】図１の電子ビーム露光装置が備える露光システムを示す斜視図である。
【図３】電子ビーム照射装置の一部を、ウエハシャトルが装着された粗微動ステージと共に示す図である。
【図４】光学系カラムの構成を示す図である。
【図５】図５（Ａ）は、ビーム成形アパーチャプレートを示す平面図、図５（Ｂ）は、図５（Ａ）の円Ｃ内を拡大して示す図である。
【図６】定盤上に載置された粗微動ステージに、ウエハシャトルが装着された状態を示す斜視図である。
【図７】微動ステージからウエハシャトルが取り外された図６の粗微動ステージを示す斜視図である。
【図８】定盤上に載置された粗微動ステージを拡大して示す図である。
【図９】図７に示される粗微動ステージから微動ステージ及び磁気シールド部材を取り去った状態を示す図である。
【図１０】図１０（Ａ）及び図１０（Ｂ）は、第１計測系の構成を説明するための図（その１及びその２）である。
【図１１】電子ビーム露光装置の制御系を構成する主制御装置の入出力関係を示すブロック図である。
【図１２】図１２（Ａ）及び図１２（Ｂ）は、それぞれ、微動ステージに装着されたキャリブレーションシャトルの平面図及び側面図である。
【図１３】電子ビーム照射装置の８８本の光学系カラムとキャリブレーションシャトルの基準板との大きさ及び配置の関係を示す図である。
【図１４】図１４（Ａ）、図１４（Ｂ）及び図１４（Ｃ）は、それぞれ、ビーム成形アパーチャプレートの多数の開口の像のディストーションについて説明するための図（その１、その２、その３）である。
【図１５】図１５（Ａ）及び図１５（Ｂ）は、それぞれ、ビーム成形アパーチャプレートの多数の開口の像の一次傾斜成分を検出する方法を説明するための図（その１、その２）である。
【図１６】図１６（Ａ）及び図１６（Ｂ）は、それぞれ、ビーム成形アパーチャプレートの多数の開口の像の高次ディストーション成分を検出する方法を説明するための図（その１、その２）である。
【図１７】変形例に係るキャリブレーションプレートの構成について説明するための図である。
【図１８】キャリブレーションプレートを用いて、８８本の光学系カラムのキャリブレーションを行う方法について説明するための図である。
【図１９】各光学系カラムで使用可能なビーム成形アパーチャプレートの他の一例について示す平面図である。
【発明を実施するための形態】
【００１０】
以下、一実施形態について、図１〜図１６に基づいて説明する。図１には、一実施形態に係るキャリブレーション方法の実施に好適な電子ビーム露光装置１００の構成が概略的に示されている。電子ビーム露光装置１００は、後述するように電子ビーム光学系を備えているので、以下、電子ビーム光学系の光軸に平行にＺ軸を取り、Ｚ軸に垂直な平面内で後述する露光時にウエハＷ（微動ステージ）が移動される走査方向をＹ軸方向とし、Ｚ軸及びＹ軸に直交する方向をＸ軸方向とし、Ｘ軸、Ｙ軸及びＺ軸回りの回転（傾斜）方向を、それぞれθｘ、θｙ及びθｚ方向として、説明を行う。
【００１１】
本実施形態では、荷電粒子ビームの一例として、電子ビームを用いた構成について説明する。但し、荷電粒子ビームは、電子ビームに限るものではなく、イオンビーム等の荷電粒子を用いたビームでも構わない。
【００１２】
電子ビーム露光装置１００は、真空チャンバ８０と、真空チャンバ８０によって区画された露光室８１の内部に収容された露光システム８２とを備えている。図２には、露光システム８２の斜視図が示されている。
【００１３】
露光システム８２は、図１及び図２に示されるように、ステージ装置８３と、電子ビーム照射装置９２とを備えている。電子ビーム照射装置９２は、図２に示される円筒状の鏡筒９３と、鏡筒９３の内部の電子ビーム光学系とを含む。
【００１４】
ステージ装置８３は、ウエハを保持して移動可能なウエハシャトル１０が着脱自在に装着される粗微動ステージ８５を含む構成であり、電子ビーム照射装置９２は、粗微動ステージ８５に装着されたウエハシャトル１０に保持されたウエハＷに電子ビームを照射して露光する構成である。
【００１５】
ここで、ウエハシャトル１０は、詳しくは後述するが、ウエハを静電吸着して保持する保持部材（あるいはテーブル）である。この保持部材はウエハを保持した状態で搬送され、しかも所定の事前計測が行われる計測室（不図示）を起点として、露光室８１を含む複数の露光室（露光室８１以外の露光室については不図示）との間でシャトルバス（あるいはスペースシャトル）のように繰り返し往復する。そのため、本実施形態では、この保持部材をウエハシャトルと称している。
【００１６】
ステージ装置８３は、図２に示されるように、定盤８４と、定盤８４上で移動する粗微動ステージ８５と、粗微動ステージ８５を駆動する駆動系と、粗微動ステージの位置情報を計測する位置計測系とを備えている。ステージ装置８３の構成等の詳細は、後述する。
【００１７】
電子ビーム照射装置９２の鏡筒９３は、図２に示されるように、外周部に中心角１２０度の間隔で３つの凸部が形成された円環状の板部材から成るメトロロジーフレーム９４によって下方から支持されている。より具体的には、鏡筒９３の最下端部は、その上の部分に比べて直径が小さい小径部となっており、その小径部とその上の部分との境界部分は段部となっている。そして、その小径部が、メトロロジーフレーム９４の円形の開口内に挿入され、段部の底面がメトロロジーフレーム９４の上面に当接した状態で、鏡筒９３が、メトロロジーフレーム９４によって下方から支持されている。メトロロジーフレーム９４は、図２に示されるように、前述の３つの凸部のそれぞれに下端が接続された３つの吊り下げ支持機構９５ａ、９５ｂ、９５ｃ（柔構造の連結部材）を介して、露光室８１を区画する真空チャンバ８０の天板（天井壁）から吊り下げ状態で支持されている（図１参照）。すなわち、このようにして、電子ビーム照射装置９２は、真空チャンバ８０に対して３点で吊り下げ支持されている。
【００１８】
３つの吊り下げ支持機構９５ａ、９５ｂ、９５ｃは、図２中で吊り下げ支持機構９５ａについて代表的に示されるように、それぞれの上端に設けられた受動型の防振パッド９６と、防振パッド（防振部）９６の下端にそれぞれの一端が接続され、他端がメトロロジーフレーム９４に接続された鋼材より成るワイヤ９７とを有する。防振パッド９６は、真空チャンバ８０の天板に固定され、それぞれエアダンパ又はコイルばねを含む。
【００１９】
本実施形態では、外部から真空チャンバ８０に伝達された床振動などの振動のうちで、電子ビーム光学系の光軸に平行なＺ軸方向の振動成分の大部分は防振パッド９６によって吸収されるため、電子ビーム光学系の光軸に平行な方向において高い除振性能が得られる。また、吊り下げ支持機構の固有振動数は、電子ビーム光学系の光軸に平行な方向よりも光軸に垂直な方向で低くなっている。３つの吊り下げ支持機構９５ａ、９５ｂ、９５ｃは光軸に垂直な方向には振り子のように振動するため、光軸に垂直な方向の除振性能（真空チャンバ８０に外部から伝達された床振動などの振動が電子ビーム照射装置９２に伝わるのを防止する能力）が十分に高くなるように３つの吊り下げ支持機構９５ａ、９５ｂ、９５ｃの長さ（ワイヤ９７の長さ）を十分に長く設定している。この構造では高い除振性能が得られるとともに機構部の大幅な軽量化が可能であるが、電子ビーム照射装置９２と真空チャンバ８０との相対位置が比較的低い周波数で変化するおそれがある。そこで、電子ビーム照射装置９２と真空チャンバ８０との相対位置を所定の状態に維持するために、非接触方式の位置決め装置９８（図１及び図２では不図示、図１１参照）が設けられている。この位置決め装置９８は、例えば国際公開第２００７/０７７９２０号などに開示されるように、６軸の加速度センサと、６軸のアクチュエータとを含んで構成することができる。位置決め装置９８は、主制御装置５０によって制御される（図１１参照）。これにより、真空チャンバ８０に対する電子ビーム照射装置９２のＸ軸方向、Ｙ軸方向、Ｚ軸方向の相対位置、及びＸ軸、Ｙ軸、Ｚ軸の回りの相対回転角は、一定の状態（所定の状態）に維持される。
【００２０】
図３には、電子ビーム照射装置９２の一部が、シャトル１０が装着された粗微動ステージ８５と共に示されている。図３では、メトロロジーフレーム９４は図示が省略されている。電子ビーム照射装置９２は、鏡筒９３と、該鏡筒９３内にＸＹ平面内でアレイ状に配置されたｍ個（ｍは例えば８８）の光学系カラム２０から構成される電子ビーム光学系を備えている。各光学系カラム２０は、個別にオンオフ可能で、かつ偏向可能なｎ本（ｎは例えば５０００）のビームを照射可能なマルチビーム光学系を含む。
【００２１】
図４には、光学系カラム２０の構成が示されている。光学系カラム２０は、円筒状の筐体（カラムセル）２１と、該カラムセル２１に収納された電子銃２２及び光学系と、を備えている。
【００２２】
光学系２３は、電子銃２２の下方に上から下に順に所定の位置関係で配置された第１アパーチャ板２４、１次ビーム成形板２６、ビーム成形アパーチャプレート２８、ブランカープレート３０及び最終アパーチャ３２を、備えている。このうち、ビーム成形アパーチャプレート２８とブランカープレート３０とは、近接して配置されている。
【００２３】
第１アパーチャ板２４と１次ビーム成形板２６との間には、非対称照明光学系３４が配置されている。また、１次ビーム成形板２６とビーム成形アパーチャプレート２８との間には、電磁レンズ３６Ａ、３６Ｂが、上下方向に所定間隔隔てて配置されている。ブランカープレート３０と最終アパーチャ３２との間には、電磁レンズ３８Ａ、３８Ｂが、上下方向に所定間隔隔てて配置されている。また、最終アパーチャ３２の下方には、電磁レンズ３８Ｃ、３８Ｄが上下方向に所定間隔隔てて配置されている。電磁レンズ３８Ｄの内側には、幾分高い位置に電磁レンズ３８Ｄとほぼ同心で、ステージフィードバック偏向器４０が配置されている。
【００２４】
電子銃２２からは、所定の加速電圧（例えば５０ｋｅＶ）の電子ビームＥＢ０が放出される。電子ビームＥＢ０は、第１アパーチャ板２４の開口２４ａを通過することで、光軸ＡＸ１周りに対称な円形の断面に成形される。
【００２５】
非対称照明光学系３４は、円形の断面に成形された電子ビームＥＢ０を一方向（例えばＸ軸方向）に長く、他方向（例えばＹ軸方向）に短い縦長の断面形状に変形させた電子ビームＥＢ１を生成させる。
【００２６】
非対称照明光学系３４は、例えば光軸ＡＸ１付近に静電四重極場を発生させる静電四重極レンズ群によって構成することができる。非対称照明光学系３４によって発生される静電四重極場を適宜調整することで断面が縦長の電子ビームＥＢ１を成形できる。
【００２７】
電子ビームＥＢ１は、円板状の１次ビーム成形板２６のＹ軸方向の中心部に形成されたＸ軸方向に細長いスリット状の開口２６ａを含む領域に照射される。電子ビームＥＢ１は、１次ビーム成形板２６の開口２６ａを通過することで、細長い電子ビームＥＢ２に成形され、電磁レンズ３６Ａ及び電磁レンズ３６Ｂによって、ビーム成形アパーチャプレート２８上に結像され、ビーム成形アパーチャプレート２８の後述する開口の配置領域に対応するＸ軸方向に延びる照射領域に照射される。
【００２８】
ビーム成形アパーチャプレート２８には、１次ビーム成形板２６の開口２６ａに対応する位置に、複数の開口が設けられている。これをさらに詳述すると、ビーム成形アパーチャプレート２８には、図５（Ａ）の平面図に示されるように、Ｘ軸方向に並んだ複数の開口２８ａの列が、Ｙ軸方向に離れて２列形成されている。＋Ｙ側の列（第１列）及び−Ｙ側の列（第２列）のそれぞれに属する開口２８ａは、図５（Ａ）の円Ｃ内を拡大した図５（Ｂ）に示されるように所定ピッチ２ｐ、数μｍ（例えば、１μｍ〜４μｍの範囲、好ましくは２μｍ又は３μｍ）で、所定数、例えば２５００個配置され、第１列と第２列とがＸ軸方向に例えばｐずれて配置されている。開口２８ａは、Ｘ軸方向の長さがｐ、Ｙ軸方向の長さがｐ／２である。また、第１列と第２列との間隔は、ｐ／２である。
【００２９】
図４に戻り、ビーム成形アパーチャプレート２８の下方には、ブランカープレート３０が配置されている。ブランカープレート３０には、ビーム成形アパーチャプレート２８の複数の開口２８ａに対応する部分に開口３０ａがそれぞれ形成されている。各開口３０ａは、開口２８ａよりも大きく形成されており、開口２８ａを通過した電子ビームが通過可能となっている。
【００３０】
そして、各開口３０ａのＹ軸方向の両側に、その開口３０ａから射出される電子ビームＥＢ３を偏向させるための一対のブランキング電極がそれぞれ設けられている。ブランキング電極のそれぞれは、不図示ではあるが、配線及び端子を介して駆動回路に接続されている。なお、ブランキング電極及び配線は、厚さ数μｍ〜数十μｍ程度の導体膜を、ブランカープレート３０の本体の上にパターニングすることで一体的に形成される。ブランキング電極は、電子ビームの照射による損傷を防ぐために、ブランカープレート３０（の本体）の電子ビームの下流側の面に形成することが好ましい。
【００３１】
ブランキング電極へ電圧を印可すると、開口３０ａを通過した電子ビームＥＢ３が大きく曲げられる。その結果、図４に示されるように、ブランキング電極で曲げられた電子ビームＥＢｏｆｆが、ブランカープレート３０の下方に配置された最終アパーチャ３２の円形の開口３２ａの外側に導かれて、最終アパーチャ３２によって阻止される。開口３２ａは、最終アパーチャ３２の光軸付近に形成されている。
【００３２】
一方、ブランキング電極に電圧を印可しない場合には、電子ビームＥＢ３は最終アパーチャ３２の開口３２ａを通過する。すなわち、個々のブランキング電極に対して電圧を印可するか否かによって、個々の電子ビームＥＢ３のオンオフを制御できる。最終アパーチャ３２を挟んで上下に各２つの電磁レンズ、すなわち第１電磁レンズ３８Ａ、第２電磁レンズ３８Ｂ、第３電磁レンズ３８Ｃ及び第４電磁レンズ３８Ｄが配置されている。これらの第１〜第４の電磁レンズ３８Ａ〜３８Ｄが協働することで、ビーム成形アパーチャプレート２８の多数の開口２８ａの像が所定の縮小倍率βで縮小されてウエハＷの表面に結像される。
【００３３】
最終アパーチャ３２の下方に配置されたステージフィードバック偏向器４０は、開口２８ａの列と同じ方向（Ｘ軸方向）から光軸ＡＸ１を挟むように配置された一対の電極板を有する静電偏向器で構成されている。このステージフィードバック偏向器４０により、電子ビームＥＢ３の照射位置をＸ軸方向に微調整できる。なお、本実施形態では、ステージフィードバック偏向器４０を静電偏向器で構成しているが、この構成に限定されない。例えば、少なくとも一対のコイルを光軸を挟むように配置し、これらコイルに電流を流して生じる磁場によりビームを偏向する電磁タイプの偏向器でステージフィードバック偏向器４０を構成しても良い。
【００３４】
これまでに説明した電子銃２２及び光学系の構成各部は、主制御装置５０の指示に基づき制御部６４によって制御される（図１１参照）。
【００３５】
また、第４電磁レンズ３８Ｄの下方には、Ｘ軸方向の両側に、一対の反射電子検出装置４２ｘ１、４２ｘ２が設けられている。また、図４では図示が省略されているが、実際には、第４電磁レンズ３８Ｄの下方には、Ｙ軸方向の両側に、一対の反射電子検出装置４２ｙ１、４２ｙ２が設けられている（図１１参照）。これらの反射電子検出装置のそれぞれは、例えば半導体検出器によって構成され、ウエハ上のアライメントマーク、あるいは後述する基準マーク等の検出対象マークから発生する反射成分、ここでは反射電子を検出し、検出した反射電子に対応する検出信号を信号処理装置６２に送る（図１１参照）。信号処理装置６２は、複数の反射電子検出装置４２の検出信号を不図示のアンプにより増幅した後に信号処理を行い、その処理結果を主制御装置５０に送る（図１１参照）。
【００３６】
光学系カラム２０の５０００本のマルチビームを全てオン状態（電子ビームがウエハに照射される状態）にしたとき、例えば１００μｍ×３０ｎｍの矩形領域（露光領域）内にビーム成形アパーチャプレート２８の５０００個の開口２８ａの配置に対応する位置関係で設定される５０００点に同時に紫外光露光装置の解像限界よりも小さい電子ビームの矩形スポットが形成される。各スポットの大きさは、例えばγ・ｐ×γ・ｐ／２＝２０ｎｍ×１０ｎｍである。γは、光学系カラム２０の倍率である。
【００３７】
本実施形態では、カラムセル２１内の電子銃２２、光学系及び反射電子検出装置４２、並ぶに制御部６４及び信号処理装置６２によって、１つの光学系ユニット７０が構成されている。そして、この光学系ユニット７０が、光学系カラム２０と同じ数（８８）設けられている（図１１参照）。
【００３８】
８８個の光学系カラム２０は、例えば３００ｍｍウエハ上に形成された（あるいはショットマップに従ってこれから形成される）例えば８８個のショット領域にほぼ１：１で対応している。電子ビーム露光装置１００では、８８個の光学系カラム２０のそれぞれが、それぞれオン／オフ可能で、かつ偏向可能な多数（ｎ＝５０００）の２０ｎｍ×１０ｎｍの電子ビームの矩形スポットを矩形（例えば１００μｍ×３０ｎｍ）の露光領域内に配置している。この露光領域に対してウエハＷを所定の走査方向（Ｙ軸方向）に走査しながら、その多数の電子ビームの矩形スポットを偏向しながらオン／オフすることで、ウエハ上の８８個のショット領域が露光され、パターンが形成される。したがって、３００ｍｍウエハの場合、露光に際してのウエハの移動ストロークは、多少の余裕を持たせても数十ｍｍ、例えば５０ｍｍあれば十分である。
【００３９】
次にステージ装置８３の構成等について説明する。図６には、ステージ装置８３の粗微動ステージ８５に、ウエハシャトル（以下、シャトルと略記する）１０が装着された状態の斜視図が示されている。図７には、シャトル１０が離脱された（取り外された）状態の図６に示される粗微動ステージ８５の斜視図が示されている。
【００４０】
ステージ装置８３が備える定盤８４は、実際には、露光室８１を区画する真空チャンバ８０の底壁上に設置されている。粗微動ステージ８５は、図６及び図７に示されるように粗動ステージ８５ａと微動ステージ８５ｂと、を備えている。粗動ステージ８５ａはＹ軸方向に所定間隔を隔てて配置され、Ｘ軸方向にそれぞれ延びる一対の四角柱状の部分を含み、定盤８４上でＸ軸方向に所定ストローク、例えば５０ｍｍで移動可能である。微動ステージ８５ｂは、粗動ステージ８５ａに対してＹ軸方向に所定ストローク、例えば５０ｍｍで移動可能で、かつ残りの５自由度方向、すなわちＸ軸方向、Ｚ軸方向、Ｘ軸周りの回転方向（θｘ方向）、Ｙ軸周りの回転方向（θｙ方向）及びＺ軸周りの回転方向（θｚ方向）にＹ軸方向に比べて短いストロークで可動である。なお、図示は省略されているが、粗動ステージ８５ａの一対の四角柱状の部分は、実際には、微動ステージ８５ｂのＹ軸方向の移動を妨げない状態で不図示の連結部材によって連結され、一体化されている。
【００４１】
粗動ステージ８５ａは、粗動ステージ駆動系８６（図１１参照）によって、Ｘ軸方向に所定ストローク（例えば５０ｍｍ）で駆動される（図９のＸ軸方向の長い矢印参照）。粗動ステージ駆動系８６は、本実施形態では磁束漏れが生じない一軸駆動機構、例えばボールねじを用いた送りねじ機構によって構成される。この粗動ステージ駆動系８６は、粗動ステージの一対の四角柱状の部分のうち、一方の四角柱状の部分と定盤８４との間に配置される。例えば、定盤８４にねじ軸が取り付けられ、一方の四角柱状の部分にボール（ナット）が取り付けられる構成である。なお、定盤８４にボールを取り付け、一方の四角柱状の部分にねじ軸を取り付ける構成であっても良い。
【００４２】
また、粗動ステージ８５ａの一対の四角柱状の部分のうち、他方の四角柱状の部分は、定盤８４に設けられた不図示のガイド面に沿って移動する構成である。
【００４３】
ボールねじのねじ軸は、ステッピングモータによって回転駆動される。あるいは、粗動ステージ駆動系８６を、駆動源として超音波モータを備えた一軸駆動機構によって構成しても良い。いずれにしても、磁束漏れに起因する磁場変動が電子ビームの位置決めに影響を与えることはない。粗動ステージ駆動系８６は、主制御装置５０によって制御される（図１１参照）。
【００４４】
微動ステージ８５ｂは、図８の斜視図に拡大して示されるように、Ｙ軸方向に貫通したＸＺ断面矩形枠状の部材から成り、重量キャンセル装置８７によって、定盤８４上でＸＹ平面内で移動可能に支持されている。微動ステージ８５ｂの側壁の外面には、補強用のリブが複数設けられている。
【００４５】
微動ステージ８５ｂの中空部の内部には、ＸＺ断面が矩形枠状でＹ軸方向に延びるヨーク８８ａと、ヨーク８８ａの上下の対向面に固定された一対の磁石ユニット８８ｂとが設けられ、これらヨーク８８ａと一対の磁石ユニット８８ｂによって、微動ステージ８５ｂを駆動するモータの可動子８８が構成されている。
【００４６】
図９には、図７から微動ステージ８５ｂ及び符号９１で示される後述する磁気シールド部材を取り去った状態が示されている。図９に示されるように、可動子８８に対応して、粗動ステージ８５ａの一対の四角柱部分の相互間には、コイルユニットから成る固定子８９が架設されている。固定子８９と前述の可動子８８とによって、可動子８８を固定子８９に対して、図９に各方向の矢印で示されるように、Ｙ軸方向に所定ストローク、例えば５０ｍｍで移動可能で、かつＸ軸方向、Ｚ軸方向、θｘ方向、θｙ方向及びθｚ方向に微小駆動可能な閉磁界型かつムービングマグネット型のモータ９０が構成されている。本実施形態では、モータ９０によって微動ステージを６自由度方向に駆動する微動ステージ駆動系が構成されている。以下、微動ステージ駆動系をモータと同一の符号を用いて、微動ステージ駆動系９０と表記する。微動ステージ駆動系９０は、主制御装置５０によって制御される（図１１参照）。
【００４７】
粗動ステージ８５ａの一対の四角柱部分の相互間には、例えば図６及び図７などに示されるように、さらに、モータ９０の上面及びＸ軸方向の両側面を覆う状態でＸＺ断面逆Ｕ字状の磁気シールド部材９１が架設されている。すなわち、磁気シールド部材９１は、四角柱部分が延びる方向に交差する方向（Ｙ軸方向）に延びて形成されており、モータ９０の上面に非接触で対向する上面部と、モータ９０の側面に非接触で対向する側面部とを備える。この磁気シールド部材９１は、微動ステージ８５ｂの中空部内に挿入された状態で、側面部のうち、長手方向（Ｙ軸方向）の両端部の下面が粗動ステージ８５ａの一対の四角柱部分の上面に固定されている。また、磁気シールド部材９１の側面部のうち、上記両端部の下面以外は、微動ステージ８５ｂの内壁面のうち、底壁面（下面）に対して、非接触で対向する。すなわち、磁気シールド部材９１は、可動子８８の固定子８９に対する移動を妨げることがない状態で、微動ステージ８５ｂの中空部内に挿入されている。
【００４８】
磁気シールド部材９１としては、所定の空隙（スペース）を隔てて積層された複数層の磁性材料のフィルムによって構成されるラミネートな磁気シールド部材が用いられている。この他、透磁率の異なる２種類の材料のフィルムが交互に積層された構成の磁気シールド部材を用いても良い。磁気シールド部材９１は、モータ９０の上面及び側面を、可動子８８の移動ストロークの全長に渡って覆っており、かつ粗動ステージ８５ａに固定されているので、微動ステージ８５ｂ及び粗動ステージ８５ａの移動範囲の全域で、上方（電子ビーム光学系側）への磁束の漏れをほぼ確実に防止することができる。
【００４９】
重量キャンセル装置８７は、図８に示されるように、微動ステージ８５ｂの下面に上端が接続された金属製のベローズ型空気ばね（以下、空気ばねと略記する）８７ａと、空気ばね８７ａの下端に接続された平板状の板部材から成るベーススライダ８７ｂと、を有している。ベーススライダ８７ｂには、空気ばね８７ａ内部の空気を、定盤８４の上面に噴き出す軸受部（不図示）が設けられ、軸受部から噴出される加圧空気の軸受面と定盤８４上面との間の静圧（隙間内圧力）により、重量キャンセル装置８７、微動ステージ８５ｂ及び可動子８８（シャトル１０が粗微動ステージ８５に装着された場合には、そのシャトル１０等も含む）の自重が支持されている。なお、空気ばね８７ａには、微動ステージ８５ｂに接続された不図示の配管を介して圧縮空気が供給されている。ベーススライダ８７ｂは、一種の差動排気型の空気静圧軸受を介して定盤８４上に非接触で支持され、軸受部から定盤８４に向かって噴出された空気が、周囲に（露光室内に）漏れ出すことが防止されている。
【００５０】
ここで、シャトル１０を粗微動ステージ８５、より正確には微動ステージ８５ｂに着脱自在に装着するための構造について説明する。
【００５１】
微動ステージ８５ｂの上面には、図７に示されるように、３つの三角錐溝部材１２が設けられている。この三角錐溝部材１２は、例えば、平面視でほぼ正三角形の３つの頂点の位置に設けられている。この三角錐溝部材１２には、後述するシャトル１０に設けられた球体又は半球体が係合可能であり、この球体又は半球体とともにキネマティックカップリングを構成する。なお、図７には、３つの板部材によって構成された花弁のような三角錐溝部材１２が示されているが、この三角錐溝部材１２は、球体又半球体にそれぞれ点接触する三角錐溝と同じ役割を有するので、三角錐溝部材と称している。したがって、三角錐溝が形成された単一の部材を、三角錐溝部材１２の代わりに用いても良い。
【００５２】
本実施形態では、３つの三角錐溝部材１２に対応して、図６に示されるように、シャトル１０に３つの球体又は半球体（本実施形態ではボール）１４が設けられている。シャトル１０は、平面視で正三角形の各頂点を切り落としたような六角形状で形成されている。これをさらに詳述すると、シャトル１０には、平面視で３つの斜辺それぞれの中央部に切り欠き部１０ａ、１０ｂ、１０ｃが形成され、切り欠き部１０ａ、１０ｂ、１０ｃをそれぞれ外側から覆う状態で、板ばね１６がそれぞれ取り付けられている。各板ばね１６の長手方向の中央部にボール１４がそれぞれ固定されている。三角錐溝部材１２に係合される前の状態では、各ボール１４は、外力を受けた場合、シャトル１０の中心（図６に示されるウエハＷの中心にほぼ一致）を中心とする半径方向にのみ微小移動する。
【００５３】
微動ステージ８５ｂの上方で３つの三角錐溝部材１２に３つのボール１４がそれぞれほぼ対向する位置に、シャトル１０を移動させた後、シャトル１０を降下させることにより、３つのボール１４のそれぞれが、３つの三角錐溝部材１２に個別に係合し、シャトル１０が微動ステージ８５ｂに装着される。この装着時に、シャトル１０の微動ステージ８５ｂに対する位置が所望の位置からずれていたとしても、ボール１４が三角錐溝部材１２に係合する際にその三角錐溝部材１２から外力を受けて前述の如く半径方向に移動する。その結果、３つのボール１４は対応する三角錐溝部材１２に、常に同じ状態で係合する。一方、シャトル１０を上方に移動させて、ボール１４と三角錐溝部材１２との係合を解除するだけで、シャトル１０を微動ステージ８５ｂから簡単に取り外す（離脱させる）ことができる。すなわち、本実施形態では３組のボール１４と三角錐溝部材１２との組によって、キネマティックカップリングが構成され、このキネマティックカップリングによって、シャトル１０の微動ステージ８５ｂに対する取り付け状態を常にほぼ同一状態に設定することができるようになっている。したがって、何度、取り外しても、再度、シャトル１０をキネマティックカップリング（３組のボール１４と三角錐溝部材１２との組）を介して微動ステージ８５ｂに装着するだけで、シャトル１０と微動ステージ８５ｂとの一定の位置関係を、再現することができる。
【００５４】
シャトル１０の上面には、例えば図６に示されるように、中央にウエハＷより僅かに直径が大きな円形の凹部が形成され、該凹部内に不図示の静電チャックが設けられ、該静電チャックによってウエハＷが静電吸着され保持されている。このウエハＷの保持状態では、ウエハＷの表面は、シャトル１０の上面とほぼ同一面となっている。
【００５５】
次に、粗微動ステージ８５の位置情報を計測する位置計測系について説明する。この位置計測系は、シャトル１０が微動ステージ８５ｂに前述したキネマティックカップリングを介して装着された状態で、シャトル１０の位置情報を計測する第１計測系５２と、微動ステージ８５ｂの位置情報を直接計測する第２計測系５４とを含む（図１１参照）。
【００５６】
まず、第１計測系５２について説明する。シャトル１０の前述の３つの斜辺を除く３つの辺それぞれの近傍には、図６に示されるように、グレーティングプレート７２ａ、７２ｂ、７２ｃがそれぞれ設けられている。グレーティングプレート７２ａ、７２ｂ、７２ｃのそれぞれには、シャトル１０の中心（本実施形態では円形の凹部の中心に一致）を中心とする半径方向とこれに直交するする方向のそれぞれを周期方向とする２次元格子がそれぞれ形成されている。例えば、グレーティングプレート７２ａには、Ｙ軸方向及びＸ軸方向を周期方向とする２次元格子が形成されている。また、グレーティングプレート７２ｂには、シャトル１０の中心に関してＹ軸に対して−１２０度を成す方向（以下、α方向と称する）及びこれに直交する方向を周期方向とする２次元格子が形成され、グレーティングプレート７２ｃには、シャトル１０の中心に関してＹ軸に対して＋１２０度を成す方向（以下、β方向と称する）及びこれに直交する方向を周期方向とする２次元格子が形成されている。２次元格子としては、それぞれの周期方向について、ピッチが例えば１μｍの反射型の回折格子が用いられている。
【００５７】
図１０（Ａ）に示されるように、メトロロジーフレーム９４の下面（−Ｚ側の面）には、３つのグレーティングプレート７２ａ、７２ｂ、７２ｃのそれぞれに個別に対向可能な位置に、３つのヘッド部７４ａ、７４ｂ、７４ｃが固定されている。３つのヘッド部７４ａ、７４ｂ、７４ｃのそれぞれには、図１０（Ｂ）中に各４本の矢印で示される計測軸を有する４軸エンコーダヘッドが設けられている。
【００５８】
これをさらに詳述すると、ヘッド部７４ａは、同一の筐体の内部に収容された、Ｘ軸方向及びＺ軸方向を計測方向とする第１ヘッドと、Ｙ軸方向及びＺ軸方向を計測方向とする第２ヘッドとを含む。第１ヘッド（より正確には、第１ヘッドが発する計測ビームのグレーティングプレート７２ａ上の照射点）と、第２ヘッド（より正確には、第２ヘッドが発する計測ビームのグレーティングプレート７２ａ上の照射点）とは、同一のＸ軸に平行な直線上に配置されている。ヘッド部７４ａの第１ヘッド及び第２ヘッドは、それぞれグレーティングプレート７２ａを用いて、シャトル１０のＸ軸方向及びＺ軸方向の位置情報を計測する２軸リニアエンコーダ、及びＹ軸方向及びＺ軸方向の位置情報を計測する２軸リニアエンコーダを構成する。
【００５９】
残りのヘッド部７４ｂ、７４ｃは、それぞれのメトロロジーフレーム９４に対する向きが異なる（ＸＹ平面内における計測方向が異なる）が、第１ヘッドと第２ヘッドとを含んでヘッド部７４ａと同様に構成されている。ヘッド部７４ｂの第１ヘッド及び第２ヘッドは、それぞれグレーティングプレート７２ｂを用いて、シャトル１０のα方向にＸＹ平面内で直交する方向及びＺ軸方向の位置情報を計測する２軸リニアエンコーダ、及びα方向及びＺ軸方向の位置情報を計測する２軸リニアエンコーダを構成する。ヘッド部７４ｃの第１ヘッド及び第２ヘッドは、それぞれグレーティングプレート７２ｃを用いて、シャトル１０のβ方向にＸＹ平面内で直交する方向及びＺ軸方向の位置情報を計測する２軸リニアエンコーダ、及びβ方向及びＺ軸方向の位置情報を計測する２軸リニアエンコーダを構成する。
【００６０】
ヘッド部７４ａ、７４ｂ、７４ｃそれぞれが有する第１ヘッド及び第２ヘッドのそれぞれとしては、例えば米国特許第７，５６１，２８０号明細書に開示される変位計測センサヘッドと同様の構成のエンコーダヘッドを用いることができる。
【００６１】
上述した３組、合計６つの２軸エンコーダ、すなわち３つのグレーティングプレート７２ａ、７２ｂ、７２ｃをそれぞれ用いてシャトル１０の位置情報を計測する３つのヘッド部７４ａ、７４ｂ、７４ｃによって、エンコーダシステムが構成され、このエンコーダシステムによって第１計測系５２（図１１参照）が構成されている。第１計測系５２で計測される位置情報は、主制御装置５０に供給される。
【００６２】
第１計測系５２は、３つのヘッド部７４ａ、７４ｂ、７４ｃがそれぞれ４つの計測自由度（計測軸）を有しているので、合計１２自由度の計測が可能である。すなわち、３次元空間内では、自由度は最大で６であるから、実際には、６自由度方向のそれぞれについて、冗長計測が行われ、各２つの位置情報が得られることになる。
【００６３】
したがって、主制御装置５０は、第１計測系５２で計測された位置情報に基づいて、それぞれの自由度について各２つの位置情報の平均値を、それぞれの方向の計測結果とする。これにより、平均化効果により、６自由度の全ての方向について、シャトル１０及び微動ステージ８５ｂの位置情報を、高精度に求めることが可能になる。
【００６４】
次に、第２計測系５４について説明する。第２計測系５４は、シャトル１０が微動ステージ８５ｂに装着されているか否かを問わず、微動ステージ８５ｂの６自由度方向の位置情報の計測が可能である。第２計測系５４は、例えば微動ステージ８５ｂの側壁の外面に設けられた反射面にビームを照射し、その反射光を受光して微動ステージ８５ｂの６自由度方向の位置情報を計測する干渉計システムによって構成することができる。干渉計システムの各干渉計は、メトロロジーフレーム９４に不図示の支持部材を介して吊り下げ支持しても良いし、あるいは定盤８４に固定しても良い。第２計測系５４は、露光室８１内（真空空間内）に設けられるので、空気揺らぎに起因する計測精度の低下のおそれがない。また、第２計測系５４は、本実施形態では、シャトル１０が微動ステージ８５ｂに装着されていないとき、すなわちウエハの露光が行われないときに、主として、微動ステージ８５ｂの位置、姿勢を所望の状態に維持するために用いられるので、第１計測系５２に比べて計測精度は低くても良い。第２計測系５４で計測される位置情報は、主制御装置５０に供給される（図１１参照）。なお、干渉計システムに限らず、エンコーダシステムにより、あるいはエンコーダシステムと干渉計システムとの組み合わせによって、第２計測系を構成しても良い。後者の場合、微動ステージの８５ｂのＸＹ平面内の３自由度方向の位置情報をエンコーダシステムで計測し、残りの３自由度方向の位置情報を干渉計システムで計測しても良い。
【００６５】
第１計測系５２及び第２計測系５４による計測情報は、主制御装置５０に送られ、主制御装置５０は、第１計測系５２及び／又は第２計測系５４による計測情報に基づいて、粗微動ステージ８５を制御する。また、主制御装置５０は、第１計測系５２による計測情報を、露光システム８２の電子ビーム照射装置９２が有する複数の光学系カラム２０それぞれのステージフィードバック偏向器４０の制御にも用いる。
【００６６】
図１１には、電子ビーム露光装置１００の制御系を主として構成する主制御装置５０の入出力関係がブロック図にて示されている。主制御装置５０は、マイクロコンピュータ等を含み、図１１に示される各部を含む電子ビーム露光装置１００の構成各部を統括的に制御する。
【００６７】
次に、電子ビーム露光装置１００で行われる、電子ビーム照射装置９２が備える電子ビーム光学系のキャリブレーションに用いられる、キャリブレーションシャトル１１０について説明する。キャリブレーションシャトル１１０は、ここでは、露光室８１の内部に設けられた不図示のシャトルストッカの内部に収容されている。
【００６８】
図１２（Ａ）及び図１２（Ｂ）には、微動ステージ８５ｂに装着されたキャリブレーションシャトル１１０の平面図、及び側面図がそれぞれ示されている。キャリブレーションシャトル１１０は、図１２（Ａ）及び図１２（Ｂ）に示されるように、基本的には、シャトル１０と同様に構成されている。ただし、次の点が相違する。すなわち、キャリブレーションシャトル１１０の上面には、シャトル１０の円形開口に比べて幾分直径の大きな所定深さの円形開口１１０ａが形成されており、円形開口１１０ａ内にウエハＷの直径より幾分大きな直径の円形プレートから成る基準板１２０が配置されている。基準板１２０は熱膨張率がウエハ等のターゲットの熱膨張率より小さい材料から成り、より好ましくは、熱膨張率が非常に小さい材料（例えばコーニング社のＵＬＥ（商品名）のような超低膨張ガラス、ショット社のゼロデュア (Zerodur) （商品名）のような低膨張率のセラミックス、または炭化ケイ素（ＳｉＣ）など）から成る。基準板１２０の表面に所定数、ここでは８８個の基準マークＦＭが、８８本のカラムセル２１（光学系カラム２０）の位置（例えば、光学系カラムの中心、あるいは光学系カラムが備える光学系の光軸）に対応する位置関係（配置）で形成されている。図１３には、電子ビーム照射装置９２の８８本の光学系カラム２０（カラムセル２１）とキャリブレーションシャトル１１０の基準板１２０、すなわち８８個の基準マークＦＭが形成されたマーク形成領域との大きさ及び配置の関係が平面図にて示されている。図１３には、各カラムセル２１が直径３０ｍｍの円形で示され、各カラムセル２１内に露光領域が矩形で示されている。図１３から明らかなように、本実施形態では、８８本の光学系カラム２０の露光領域の全てを包含する面積を、キャリブレーションシャトル１１０の基準板１２０が有している。これに対し、３００ｍｍウエハから成る基準ウエハは、基準板１２０より直径が小さいため、８８本の光学系カラム２０の露光領域の全てを包含する面積を有していない。図１３において、×が付された四角は、この部分に光学系カラム２０が対向しないことを示している。
【００６９】
なお、本実施形態では、基準板１２０に基準マークＦＭを形成し、この基準板１２０をキャリブレーションシャトル１１０に取り付けているが、キャリブレーションシャトル本体に直接基準マークＦＭを形成しても良い。
【００７０】
なお、図１２（Ａ）では、８８個の基準マークＦＭのうちの一部が、十字マークとして示されているが、実際には、基準板１２０上には、２次元マークから成る基準マークが、８８本のカラムセル２１の位置関係に対応する位置関係で形成されている。また、基準マークＦＭとしては、一例としてＸ軸方向を周期方向とする一次元格子マーク（ラインアンドスペースパターン）とＹ軸方向を周期方向とする一次元格子マーク（ラインアンドスペースパターン）とを含む２次元マークが用いられる。
【００７１】
次に、電子ビーム光学系のキャリブレーションについて説明する。電子ビーム露光装置の露光時間は、紫外光露光装置と比べて露光時間が格段長いため、特にマルチビーム光学系では、ビームの軸の倒れ、あるいはビーム成形アパーチャプレートの多数の開口のシフトなどに起因して各ビームの、ウエハ等のターゲット表面上での照射点がＸＹ平面内で位置ずれする。これにより、各マルチビーム光学系（光学系カラム）の像面上に形成されるビーム成形アパーチャプレートの多数の開口の像にディストーションが発生する。
【００７２】
本実施形態に係る電子ビーム露光装置１００のビーム成形アパーチャプレート２８の多数の開口２８ａの像（この像は、ＡｒＦ光源を用いた液浸露光技術と、電子ビーム露光技術とを相補的に利用するコンプリメンタリ・リソグラフィにおける多数のカットパターン（あるいはビアパターン）として用いることができる。）は、設計上は、像面上で、図１４（Ａ）に示される３０ｎｍの幅でＸ軸方向に延びる長さ１００μｍの帯状の領域内に結像される筈である。しかしながら、実際には、前述したビームの軸の倒れ、あるいはビーム成形アパーチャプレート２８の多数の開口２８ａのシフトなどに起因して、多数の開口２８ａの像（の形成領域）は、図１４（Ｂ）に示されるように、一次傾斜成分を持っていたり、図１４（Ｃ）に示されるように、二次以上の高次のディストーション成分を持っていたりする。ここで一次傾斜成分とは、複数の開口２８ａの像の位置ずれをフィッティング関数等を用いてフィッティングして像の位置座標の関数として表したとき、像の位置座標の一次に比例する成分のことであり、二次以上の高次のディストーション成分とは、像の位置座標の二次以上に比例する成分のことである。なお、フィッティング関数はチェビシェフ多項式などの直交多項式と非直交多項式のどちらを使用しても良い。
【００７３】
そこで、本実施形態では、前述したキャリブレーションシャトル１１０を、シャトル１０の代わりに、真空チャンバ８０内部の粗微動ステージ８５に装着して、電子ビーム照射装置９２の各光学系カラム２０のキャリブレーションを行う。
【００７４】
例えば一次傾斜成分を検出する際には、例えば図１５（Ａ）に示されるように、ビーム成形アパーチャプレート２８の多数の開口２８ａのうち、仮想線（二点鎖線）で示される仮想の領域ＥＲ１、ＥＲ２内に位置するＸ軸方向の両端部の複数の開口２８ａを通る電子ビームのみを用いて、検出を行う。具体的には、キャリブレーションシャトル１１０の基準板１２０上に形成された８８個の基準マークＦＭをそれぞれ構成する、図１５（Ｂ）に示されるようなＹ軸方向を周期方向とし、Ｘ軸方向に所定長さで延びる一次元格子マークＦＭｙに対して、領域ＥＲ１、ＥＲ２内にそれぞれ位置する複数の開口２８ａをそれぞれ介して電子ビームを照射する。そしてその複数の開口２８ａをそれぞれ介した電子ビームから成る検出ビームの一次元格子マークＦＭｙによる反射を検出して一次元格子マークＦＭｙのＹ位置の検出を行う。図１５（Ｂ）では、一次傾斜成分の検出に用いられる複数の電子ビームから成る検出ビームが照射された照射領域ＥＲ１’、ＥＲ２’が概念的に示されている。照射領域ＥＲ１’及び照射領域ＥＲ２’は、実際には、同時ではなく、順次照射される。
【００７５】
基準マークＦＭ（一次元格子マークＦＭｙ）のＹ位置検出は、周知のアライメントマークの位置計測方法と同様、計測対象のマークに対して検出ビーム（複数のビームから成るビームの集合）をＹ方向に往復走査し、一次元格子マークＦＭｙで発生する反射電子を前述の反射電子検出装置４２（反射電子検出装置４２ｙ１、４２ｙ２の少なくとも一方）で検出することで行われる。この場合、領域ＥＲ１内に位置する複数の開口２８ａをそれぞれ介した個々の電子ビームで検出されるＹ位置の平均値が照射領域ＥＲ１’に対する検出ビームの照射によって生ずる反射電子の検出結果から求められ、領域ＥＲ２内に位置する複数の開口２８ａをそれぞれ介した個々の電子ビームで検出されるＹ位置の平均値が照射領域ＥＲ２’に対する検出ビームの照射によって生ずる反射電子の検出結果から求められる。なお、領域ＥＲ１、ＥＲ２外に存在する開口２８ａから射出されるビームは、検出中は、常時オフである。
【００７６】
そして、照射領域ＥＲ１’、ＥＲ２’にそれぞれ照射される各検出ビームを用いて検出した一次元格子マークのＹ位置Ｙ１、Ｙ２と、各検出ビームの照射位置の設計上の照射位置Ｘ１、Ｘ２とから成る座標値（Ｘ１、Ｙ１）、（Ｘ２，Ｙ２）から一次傾斜成分を求めることができる。
【００７７】
また、二次以上の高次のディストーション成分を検出する際には、例えば図１６（Ａ）に示されるように、ビーム成形アパーチャプレート２８の多数の開口２８ａのうち、仮想線（二点鎖線）で示されるＸ軸方向に所定間隔で並んだ複数の仮想の領域ＥＲ１、ＥＲ２、……ＥＲＥｎを設定し、これらｎ個の領域内に位置する複数の開口２８ａを通る電子ビームのみを用いて、検出を行う。具体的には、図１６（Ｂ）に示されるように前述の一次元格子マークＦＭｙに対して、領域ＥＲ１、ＥＲ２、……ＥＲｎ内にそれぞれ位置する複数の開口２８ａをそれぞれ介して電子ビームを照射し、その複数の開口２８ａをそれぞれ介した電子ビームから成る検出ビームの一次元マークＦＭｙ上の照射位置の検出（各検出ビームを用いた一次元格子マークＦＭｙのＹ位置の検出）が、前述の一次傾斜成分の検出の際と同様にして行われる。図１６（Ｂ）では、高次のディストーション成分の検出に用いられる複数の電子ビームから成る検出ビームが照射された照射領域ＥＲ１’、ＥＲ２’、……ＥＲｎ’が概念的に示されている。実際には、照射領域ＥＲ１’、ＥＲ２’、……ＥＲｎ’は、同時ではなく、順次照射される。この場合も領域ＥＲ１、ＥＲ２、……ＥＲｎ外に存在する開口２８ａから照射されるビームは、検出中は、常時オフである。なお、図１６（Ｂ）では照射領域は、５つ（この場合ｎ＝５）示されているが、照射領域の数ｎは、５つに限らず３つ、４つ、あるいは６つ以上のいずれであっても良く、求めたいディストーション成分の次数に応じて照射領域の数ｎを決めれば良い。
【００７８】
そして、各検出ビームを用いて検出した一次元格子マークＦＭｙのＹ位置Ｙｉ（ｉ＝１〜ｎ）と、各検出ビームの照射位置の設計上の照射位置Ｘｉとから成る座標値（Ｘｉ、Ｙｉ）の集合を、二次元座標系（Ｘ、Ｙ）上にプロットし、近似曲線、例えば最小二乗曲線を求めることで、高次のディストーション成分を求めることができる。
【００７９】
上述のようにして求めた各光学系カラム２０の多数（５０００）の開口２８ａの像の一次傾斜成分又は高次ディストーション成分から、当該光学系カラム２０から射出される５０００本のビームの設計上の照射位置からのＹ軸方向に関する位置ずれを求めることができる。したがって、例えば実際のコンプリメンタリ・リソグラフィにおいて、ウエハＷ上に形成されたＸ軸方向を周期方向とするラインアンドスペースパターンに対するカットパターンを各光学系カラム２０から射出される多数の電子ビームを用いて形成する際に、ウエハＷ（微動ステージ８５ｂ）をＹ軸方向に走査しつつ、上記のＹ軸方向に関する位置ずれを考慮して、各ビームの照射タイミング（オン・オフ）を制御すれば、前述のディストーションの影響を受けることなく、所望の位置にカットパターンを形成することが可能になる。また、ビームの設計上の照射位置からのＸ軸方向に関する位置ずれは、ステージフィードバック偏向器４０を制御（電極に印加する電圧を変更して調整）することにより低減することができる。
【００８０】
また、本実施形態では、上記のビーム成形アパーチャプレート２８の多数の開口２８ａの像の一次傾斜成分又は高次のディストーション成分の検出に際して得られる基準マークＦＭからの反射電子検出信号（マーク検出信号）のコントラストが最も高くなるように、主制御装置５０が、例えば電磁レンズ３６Ａ〜３８Ｂに供給する電流を調整することとしても良い。これにより、各光学系カラム２０の収差補正も可能となる。また、主制御装置５０は、マーク検出信号の２階微分を求めることで、各光学系カラム２０のフォーカス調整（フォーカスキャリブレーション）を行うこととしても良い。
以上のように本実施形態では、ビームがウエハを照射する位置やディストーション、フォーカス等の照射状態を求め、キャリブレーションすることができる。
【００８１】
本実施形態における、ウエハに対する処理の流れは、次の通りである。
【００８２】
まず、電子線レジストが塗布された露光前のウエハ（便宜上、ウエハＷ１と表記する）が、計測室（不図示）内で、シャトル（便宜上、シャトル１０１と表記する）に載置され、シャトル１０１の静電チャックによって吸着される。そして、そのウエハＷ１に対して、シャトル１０１に対する概略（ラフ）位置計測、フラットネス計測などの事前計測が、計測室内の計測システム（不図示）によって行われる。
【００８３】
次いで、ウエハＷ１を保持したシャトル１０１が、例えば搬送システム（不図示）によって、チャンバ８０に設けられたロードロック室を介して露光室８１内に搬入され、露光室８１内の搬送系（不図示）によって所定の第１待機位置（例えば前述のシャトルストッカの複数段の収納棚のうちの１つ）に搬送される。
【００８４】
次いで、露光室８１においては、シャトル交換動作、すなわちシャトルと一体でのウエハの交換動作が以下のようにして行われる。
【００８５】
シャトル１０１の搬入時に露光が行われていたウエハ（便宜上、ウエハＷ０と表記する）の露光が終了すると、搬送系により、露光済みのウエハＷ０を保持するシャトル（便宜上、シャトル１００と表記する）が、微動ステージ８５ｂから取り外され、所定の第２待機位置に搬送される。第２待機位置は、前述したシャトルストッカの複数段の収納棚のうちの別の１つであるものとする。
【００８６】
なお、微動ステージ８５ｂからシャトル１００が取り外されるのに先立って、第２計測系５４（図１１参照）の計測情報に基づく、微動ステージ８５ｂの６自由度方向の位置、姿勢のフィードバック制御が、主制御装置５０によって開始され、次に第１計測系５２（図１１参照）の計測情報に基づく、シャトル１０１と一体の微動ステージ８５ｂの位置制御が開始されるまでの間、微動ステージ８５ｂの６自由度方向の位置、姿勢は所定の基準状態に維持される。
【００８７】
次いで、露光室８１内の搬送系により、シャトル１０１が粗微動ステージ８５の上方に向かって搬送され、微動ステージ８５ｂに装着される。このとき、前述の如く、微動ステージ８５ｂの６自由度方向の位置、姿勢は基準状態に維持されているので、シャトル１０１を、キネマティックカップリングを介して微動ステージ８５ｂに装着するだけで、電子ビーム照射装置９２（電子ビーム光学系）とシャトル１０１との位置関係が所望の位置関係となる。そして、先に説明した概略位置計測の結果を考慮して、微動ステージの８５ｂの位置を微調整することで、微動ステージ８５ｂに装着されたシャトル１０１上のウエハＷ１に形成された８８個のショット領域のそれぞれに対応してスクライブライン（ストリートライン）に形成された少なくとも各１つのアライメントマークに対して、電子ビーム光学系から電子ビームを確実に照射することが可能となる。したがって、少なくとも各１つのアライメントマークからの反射電子が反射電子検出装置４２ｘ１、４２ｘ２、４２ｙ１、４２ｙ２の少なくとも１つで検出され、ウエハＷ１の全点アライメント計測が行われ、この全点アライメント計測の結果に基づいて、ウエハＷ１上の複数のショット領域に対し、電子ビーム照射装置９２を用いた露光が開始される。
【００８８】
上記の全点アライメント計測及び露光と並行して、第２待機位置にあるシャトル１００の露光室８１からの搬出及び前述の計測室への搬送が行われる。これについての詳細説明は省略する。
【００８９】
露光室８１内では、ウエハＷ１に対する露光が行われている間に、事前計測が終了した次の露光対象のウエハを保持するシャトル１０が露光室内に搬入され、前述の第１待機位置で待機する。そして、ウエハＷ１に対する露光が終了すると、前述のシャトルと一体でのウエハの交換動作が行われ、以下、上述と同様の処理が繰り返される。
【００９０】
本実施形態では、上述したような処理の流れにより、露光室８１ではシャトルの交換及び露光処理動作が行われるが、露光処理動作が行われていない時間を利用して、主制御装置５０の指示に応じ、露光室８１内の搬送系により、キャリブレーションシャトル１１０が、シャトルストッカから粗微動ステージ８５の上方に搬送され、微動ステージ８５ｂに装着される。そして、そのキャリブレーションシャトル１１０を用いて、前述した電子ビーム光学系のキャリブレーションが行われる。
【００９１】
本実施形態に係る電子ビーム露光装置１００では、電子ビーム光学系のキャリブレーションは、装置メンテナンス後、ウエハの露光開始前、あるいはウエハの露光終了毎又は複数枚のウエハの露光終了毎などの所定時間経過後のタイミングで、露光が行われていないときに行われる。
【００９２】
以上説明したように、本実施形態に係るキャリブレーションシャトル１１０によると、電子ビーム照射装置９２の８８本の光学系カラム２０（カラムセル２１）の位置関係に対応する位置関係（配置）で８８個の基準マークＦＭが基準板１２０の表面に形成されている。このため、非露光時等のシャトル１０が粗微動ステージ８５に装着されていないときに、キャリブレーションシャトル１１０を、キネマティックカップリングを介して粗微動ステージ８５に装着し、基準板１２０の複数（８８個）の基準マークＦＭが電子ビーム照射装置９２の８８本の光学系カラム２０（カラムセル２１）に対向する位置に微動ステージ８５ｂを位置決めする。そして、前述した手順で、８８本の光学系カラム２０のそれぞれで前述した基準マークＦＭを構成するＹマークＦＭｙのＹ位置の検出を行うことで、８８本の光学系カラム２０から照射される電子ビームの所定面（基準板１２０の上面）上での照射位置の位置関係を検出する。特に、本実施形態では、８８本の光学系カラム２０の全てについて、各光学系カラム２０から照射される電子ビームのウエハ上での照射位置の位置関係を、キャリブレーションシャトル１１０を所定位置に位置決めした状態で一度にかつ短時間で検出することが可能になる。そして、露光の際に、ウエハを保持するシャトル１０が装着された微動ステージ８５ｂをＹ軸方向に移動しつつ、８８本の光学系カラム２０からウエハに照射されるビームの偏向状態と照射タイミングとの少なくとも一方を制御することで、８８本の光学系カラム２０から照射される各ビームのウエハ上での照射位置を補正することができる。
【００９３】
また、例えばコンプリメンタリ・リソグラフィを行うに際しては、各光学系カラム２０について、それぞれが有するビーム成形アパーチャプレート２８の複数の開口２８ａの像の形成領域のディストーション成分（一次傾斜成分及び二次以上の高次成分の少なくとも一方）の検出を、キャリブレーションシャトル１１０を用いて前述した手順で簡単に行うことができる。このように、本実施形態に係るキャリブレーションシャトル１１０を用いることで電子ビーム照射装置９２の各光学系カラム２０から照射される電子ビームの照射位置の検出を短時間で行うことが可能になる。また、上記のディストーション成分の検出により得られた反射電子の検出結果に基づいて、各光学系カラム２０の収差（フォーカスを含む）を必要に応じてキャリブレーションすることもできる。
【００９４】
そして、露光の際に、ウエハを保持するシャトル１０が装着された微動ステージ８５ｂをＹ軸方向に移動しつつ、８８本の光学系カラム２０のそれぞれからウエハに照射される複数のビームの偏向状態と照射タイミングとの少なくとも一方を個別に制御することで、例えばＡｒＦ液浸露光装置を用いたダブルパターニングなどによりウエハ上の例えば８８個のショット領域のそれぞれに予め形成されたＸ軸方向を周期方向とする微細なラインアンドスペースパターンに対して所望の位置にカットパターンを形成する、高精度かつ高スループットな露光が可能になる。
【００９５】
《変形例》
上記実施形態では、電子ビーム光学系（８８本の光学系カラム２０）のキャリブレーション用に、キャリブレーションシャトル１１０が用いられるものとしたが、これに限らず、粗微動ステージ８５が電子ビーム光学系のキャリブレーション用の部材を備えていても良い。例えば、図１７に示されるように、微動ステージ８５ｂ上に駆動機構１４０によって、両向き矢印Ｖで示されるように上下動可能なキャリブレーションプレート１３０を設け、該キャリブレーションプレート１３０により、電子ビーム光学系のキャリブレーションを行うようにしても良い。なお、駆動機構１４０は、実際には駆動軸（上下動軸）のみによって構成されるものではないが、図１７では、図示の便宜上から駆動機構１４０が単なる軸として示されている。駆動機構１４０によってキャリブレーションプレート１３０は、図１７中に仮想線（二点鎖線）で示される第１位置と、実線で示される第２位置との間で駆動される。第１位置にキャリブレーションプレート１３０があるとき、シャトル１０は、支障なくキネマティックカップリングによって微動ステージ８５ｂに装着できる。また、第２位置は、その上面が、キネマティックカップリングによって微動ステージ８５ｂに装着された前述のキャリブレーションシャトル１１０の上面と同一高さとなる位置に定められている。
【００９６】
キャリブレーションプレート１３０は、熱膨張率が非常に小さい材料を素材とする円板状の部材から成り、その上面に、基準板１２０と同じ間隔で複数の基準マークＦＭが形成されている。ここで、キャリブレーションプレート１３０の直径が基準板１２０の直径以上である場合には、前述のキャリブレーションシャトル１１０を用いる場合と同様に微動ステージ８５ｂを停止した状態でキャリブレーションプレート１３０を用いた電子ビーム照射装置９２の８８本の光学系カラム２０のキャリブレーションが行われる。
【００９７】
この一方、キャリブレーションプレート１３０の直径が基準板１２０の直径より小さい場合には、主制御装置５０は、図１８の平面図に模式的に示されるように、キャリブレーションプレート１３０（微動ステージ８５ｂ）を、ＸＹ平面内でステップ移動しつつ（図１８中の矢印参照）、電子ビーム照射装置９２の電子ビーム光学系（８８本の光学系カラム２０）のキャリブレーションを行う必要がある。図１８中の４つの円は、それぞれ微動ステージ８５ｂのステップ移動により、電子ビーム照射装置９２に対向して位置決めされたキャリブレーションプレート１３０の位置を概念的に示す。ここで、実際には、微動ステージ８５ｂの可動な範囲内で８８本の光学系カラム２０のキャリブレーションが可能となる程度の直径をキャリブレーションプレート１３０が有していることは勿論である。
【００９８】
上述した変形例によると、電子ビーム照射装置９２の電子ビーム光学系のキャリブレーションを、キャリブレーションプレート１３０を用いて行うことができる。したがって、電子ビーム光学系のキャリブレーションを行うために、キャリブレーションシャトル１１０を微動ステージ８５ｂに装着する必要がない。この点において、本変形例では、電子ビーム照射装置９２の各光学系カラム２０から照射される電子ビームの照射状態の検出を含む電子ビーム光学系のキャリブレーションを短時間で行うことが可能になる。
【００９９】
なお、上述したキャリブレーションシャトル１１０では、基準板１２０に８８本の光学系カラム２０のキャリブレーション用の８８個の基準マークＦＭが形成されているものとしたが、この８８個の基準マークＦＭとともに、事前アライメント計測で用いられるアライメント検出系で検出可能な基準マークを形成しても良い。
【０１００】
なお、上記実施形態では、Ｘ軸方向の所定幅の帯状領域内に複数の開口２８ａが形成されたビーム成形アパーチャプレート２８を用いる場合について説明したが、このビーム成形アパーチャプレート２８に代えて、図１９に示されるビーム成形アパーチャプレート２８’を用いても良い。ビーム成形アパーチャプレート２８’は、Ｘ軸方向に延びる所定幅の帯状領域内に複数の開口２８ａが形成されるとともに、その帯状領域から所定距離離れたＹ軸方向に延びる所定幅の帯状領域内に複数の開口２８ｂが形成された円板部材から成る。複数の開口２８ｂは、複数の開口２８ａと同一の配置及び同一大きさ、かつ同一数の開口から成るが、全体として図１９における反時計回りに９０度回転している。
【０１０１】
この場合、ビーム成形アパーチャプレート２８’に対応して、１次ビーム成形板２６として、ビーム成形アパーチャプレート２８’の複数の開口２８ａ及び複数の開口２８ｂにそれぞれ対応する位置に、Ｘ軸方向に延びるスリット開口及びＹ軸方向に延びるスリット開口が形成されたものが用いられる。この場合、非対称照明光学系３４と１次ビーム成形板２６との間に、１次ビーム成形板２６への電子ビームＥＢ１の照射位置を調整する電磁偏向器が設けられる。なお、Ｙ軸方向に伸びるスリット開口に電子ビームＥＢ１を照射する場合には、非対称照明光学系３４(四重極静電偏向器)の各電極に印加する電圧の組み合わせを光軸周りに９０度ずらせば良い。
【０１０２】
また、ビーム成形アパーチャプレート２８’の複数の開口２８ｂの像の一次傾斜成分及び高次ディストーション成分の検出は、基準板１２０上の各基準マークＦＭを構成するＸ軸方向を周期方向とする一次元格子マークを計測対象とすることで、前述の複数の開口２８ａの像の一次傾斜成分及び高次ディストーション成分の検出と同様にして行うことができる。勿論、この場合には、Ｙ軸方向に離れた複数の仮想の領域内に存在する複数の開口２８ｂを介した検出ビームを用いて、その一次元格子マークのＸ位置が、各Ｙ位置で検出されることになる。
【０１０３】
また、上記実施形態では、電子ビーム照射装置９２が備える電子ビーム光学系を構成する８８本の光学系カラム２０のそれぞれがマルチビーム光学系である場合について説明したが、これに限らず、各光学系カラムは、シングルビーム光学系であっても良い。かかる場合にも、前述と同様に、８８本の光学系カラム２０から基準板１２０上の８８個の基準マークＦＭに電子ビームを照射して、各基準マークの位置検出を行うことで、各光学系カラム２０から照射される電子ビームのウエハ上での照射位置の位置関係を取得し、その管理を行うことができる。
【０１０４】
また、上記実施形態では、微動ステージ８５ｂが、粗動ステージ８５ａに対して６自由度方向に移動可能な場合について説明したが、これに限らず、微動ステージはＸＹ平面内でのみ移動可能であっても良い。この場合、微動ステージの位置情報を計測する第１計測系５２及び第２計測系５４も、ＸＹ平面内の３自由度方向に関する位置情報を計測可能であっても良い。
【０１０５】
なお、上記実施形態では、第１計測系５２を、エンコーダシステムで構成する場合について説明したが、これに限らず、第１計測系５２を、干渉計システムによって構成しても良い。
【０１０６】
なお、上記実施形態では、電子ビーム照射装置９２がメトロロジーフレーム９４と一体で、３つの吊り下げ支持機構９５ａ、９５ｂ、９５ｃを介して真空チャンバの天板（天井壁）から吊り下げ支持されるものとしたが、これに限らず、電子ビーム照射装置９２は、床置きタイプのボディによって支持されても良い。また、上記実施形態では、真空チャンバ８０の内部に、露光システム８２の全体が収容された場合について説明したが、これに限らず、露光システム８２のうち、電子ビーム照射装置９２の鏡筒９３の下端部を除く部分を、真空チャンバ８０の外部に露出させても良い。
【０１０７】
なお、上記実施形態では、ターゲットが半導体素子製造用のウエハである場合について説明したが、本実施形態に係る電子ビーム露光装置１００は、ガラス基板上に微細なパターンを形成してマスクを製造する際にも好適に適用できる。また、上記実施形態では、荷電粒子ビームとして電子ビームを使用する電子ビーム露光装置について説明したが、露光用の荷電粒子ビームとしてイオンビーム等を用いる露光装置にも上記実施形態を適用することができる。
【０１０８】
なお、上記実施形態及び上記変形例（以下、上記実施形態等と称する）では、露光装置が、マルチビーム光学系から成るマルチカラムタイプの光学系を有する電子ビーム露光装置（荷電粒子ビーム光学系）である場合について、説明したが、上記実施形態等に係るキャリブレーションシャトル又はキャリブレーションプレート、あるいはキャリブレーションシャトル又はキャリブレーションプレートを用いるキャリブレーション方法は、シングルカラムタイプのシングルビーム光学系を有する電子ビーム露光装置、シングルカラムタイプのマルチビーム光学系を有する電子ビーム露光装置、マルチカラムタイプのシングルビーム光学系を有する電子ビーム露光装置などであっても好適に適用することができる。例えば、かかる露光装置の光学系が前述したビーム成形アパーチャプレート２８と同様のビーム成形アパーチャプレートを有している場合、そのビーム成形アパーチャプレートの多数の開口のシフトなどに起因する、多数の開口の像（の形成領域）が有する一次傾斜成分、及び二次以上の高次のディストーション成分など、マルチビーム光学系からターゲットに照射される複数のビームの照射状態の検出を、前述したキャリブレーションシャトル又はキャリブレーションプレートを用いて前述と同様に短時間で行うことができる。この場合も、上記のビーム成形アパーチャプレートの多数の開口の像の一次傾斜成分又は高次のディストーション成分の検出に際して得られる基準マークＦＭからの反射電子検出信号（マーク検出信号）のコントラストが最も高くなるように、例えば光学系が有する電磁レンズに供給する電流や静電レンズに印加する電圧を調整することで、光学系の収差補正も可能である。また、主制御装置５０は、マーク検出信号の２階微分を求めることで、光学系のフォーカス調整（フォーカスキャリブレーション）を行うこととしても良い。
【０１０９】
また、上記実施形態等では、露光装置が、電子ビーム露光装置（荷電粒子ビーム光学系）である場合について、説明したが、上記実施形態等に係るキャリブレーションシャトル又はキャリブレーションプレート、あるいはキャリブレーションシャトル又はキャリブレーションプレートを用いるキャリブレーション方法は、マルチカラムタイプの紫外光露光装置又は真空紫外光露光装置は勿論、シングルカラムタイプの紫外光露光装置又は真空紫外光露光装置であっても複数のビームをウエハ等のターゲットに照射する露光装置であれば、適用が可能である。この場合、キャリブレーションシャトル等の基準マークにマーク検出系から所定波長の光が検出ビームとして照射され、その基準マークから発生する反射成分として、反射光（回折光を含む）が検出され、その検出結果に基づいて検出ビームの照射状態が求められることになる。
また、コンプリメンタリ・リソグラフィを構成する露光技術は、ＡｒＦ光源を用いた液浸露光技術と、荷電粒子ビーム露光技術との組み合わせに限られず、例えば、ラインアンドスペースパターンをＡｒＦ光源やＫｒＦ等のその他の光源を用いたドライ露光技術で形成しても良い。
【０１１０】
半導体素子などの電子デバイス（マイクロデバイス）は、デバイスの機能・性能設計を行うステップ、シリコン材料からウエハを製作するステップ、前述した実施形態に係る電子ビーム露光装置及びその露光方法によりウエハに対する露光（設計されたパターンデータに従ったパターンの描画）を行うリソグラフィステップ、露光されたウエハを現像する現像ステップ、レジストが残存している部分以外の部分の露出部材をエッチングにより取り去るエッチングステップ、エッチングが済んで不要となったレジストを取り除くレジスト除去ステップ、デバイス組み立てステップ（ダイシング工程、ボンディング工程、パッケージ工程を含む）、検査ステップ等を経て製造される。この場合、リソグラフィステップで、上記実施形態の露光装置を用いて前述の露光方法を実行することで、ウエハ上にデバイスパターンが形成されるので、高集積度のマイクロデバイスを生産性良く（歩留まり良く）製造することができる。特に、リソグラフィステップで、前述したコンプリメンタリ・リソグラフィを行い、その際に上記実施形態の露光装置を用いて前述の露光方法を実行することで、より高集積度の高いマイクロデバイスを製造することが可能になる。
【産業上の利用可能性】
【０１１１】
以上説明したように、本発明に係る基準部材及びキャリブレーション方法は、ビームをターゲットに照射する露光装置で用いるのに適している。
【符号の説明】
【０１１２】
１０…シャトル、２０…光学系カラム、１００…電子ビーム露光装置、１１０…キャリブレーションシャトル、１２０…基準板、８５ｂ…微動ステージ、Ｗ…ウエハ、ＦＭ…基準マーク。
【図１】
2017130507.tif 000003
【図２】
2017130507.tif 000004
【図３】
2017130507.tif 000005
【図４】
2017130507.tif 000006
【図５】
2017130507.tif 000007
【図６】
2017130507.tif 000008
【図７】
2017130507.tif 000009
【図８】
2017130507.tif 000010
【図９】
2017130507.tif 000011
【図１０】
2017130507.tif 000012
【図１１】
2017130507.tif 000013
【図１２】
2017130507.tif 000014
【図１３】
2017130507.tif 000015
【図１４】
2017130507.tif 000016
【図１５】
2017130507.tif 000017
【図１６】
2017130507.tif 000018
【図１７】
2017130507.tif 000019
【図１８】
2017130507.tif 000020
【図１９】
2017130507.tif 000021